(57)【要約】【課題】不規則な干渉縞の発生を容易に抑制することのできる搬送装置、及びそのような搬送装置を備えた画像読取装置並びに画像形成装置を提供する。【解決手段】スキャナユニット１４は、ガラス平板４５の上面側に設定される画像読取位置Ｑにガラス平板４５の下面側から光を照射するとともに、ガラス平板４５を透過して画像読取位置Ｑにある用紙Ｐに反射した光を受光することで用紙Ｐの画像を読み取る。スキャナユニット１４の画像読取位置Ｑに用紙Ｐを搬送する搬送ユニット１５は、ガラス平板４５の上面側に対向するように配置され、画像読取位置Ｑ付近において用紙Ｐのガラス平板４５に対向する面を案内する透明シート部材２８を備える。透明シート部材２８のガラス平板４５に対向する面において画像読取位置Ｑと対応する部分には、表面反射を抑制するための表面処理が施されている。【選択図】図３
2010041481.tif 000002
【特許請求の範囲】
【請求項１】
透明板の一面側に設定される画像読取位置に前記透明板の他面側から光を照射するとともに、前記透明板を透過して前記画像読取位置にある原稿に反射した光を受光することで前記原稿の画像を読み取る画像読取装置の前記画像読取位置に原稿を搬送する搬送装置であって、
前記画像読取位置付近において前記原稿の前記透明板に対向する面を案内するために前記透明板の一面側に対向するように配置され、かつ、前記透明板に対向する面の少なくとも前記画像読取位置と対応する部分に表面反射を抑制するための表面処理が施された透明シート部材を備えたことを特徴とする搬送装置。
【請求項２】
前記表面処理は、表面に微細な凹凸を形成する粗面化処理であることを特徴とする請求項１に記載の搬送装置。
【請求項３】
前記表面処理は、表面に反射防止膜を形成する薄膜形成処理であることを特徴とする請求項１に記載の搬送装置。
【請求項４】
前記表面処理を施した前記透明シート部材の透過率は、前記透明板の透過率と同等以上であることを特徴とする請求項１〜３のうち何れか一項に記載の搬送装置。
【請求項５】
請求項１〜４のうち何れか一項に記載の搬送装置と、
透明板と、
該透明板の一面側に設定される画像読取位置に前記透明板の他面側から光を照射する光源部と、
該光源部から照射され、前記透明板を透過して前記画像読取位置にある原稿に反射した光を受光して電気信号に変換する受光部とを備えて前記原稿の画像を読み取ることを特徴とする画像読取装置。
【請求項６】
透明板と、
該透明板の一面側に設定される画像読取位置に前記透明板の他面側から光を照射する光源部と、
該光源部から照射され、前記透明板を透過して前記画像読取位置にある原稿に反射した光を受光して電気信号に変換する受光部と、
前記画像読取位置付近において前記原稿の前記透明板に対向する面を案内するために前記透明板の一面側に対向するように配置された透明シート部材を有して前記画像読取位置に前記原稿を搬送する搬送装置とを備えて前記原稿の画像を読み取る画像読取装置において、
前記透明板の前記透明シート部材に対向する面において、少なくとも前記画像読取位置と対応する部分には、表面反射を抑制するための表面処理が施されていることを特徴とする画像読取装置。
【請求項７】
透明板と、該透明板の一面側に設定される画像読取位置に前記透明板の他面側から光を照射する光源部と、該光源部から照射され、前記透明板を透過して前記画像読取位置にある原稿に反射した光を受光して電気信号に変換する受光部とを有して前記原稿の画像を読み取る画像読取装置と、
前記画像読取位置付近において前記原稿の前記透明板に対向する面を案内するために前記透明板の一面側に対向するように配置された透明シート部材を有して前記画像読取位置に前記原稿を搬送する搬送装置と、
前記画像読取装置によって読み取られた画像を記録する記録手段とを備え、
前記透明シート部材の前記透明板に対向する面及び前記透明板の前記透明シート部材に対向する面の少なくとも一方には、少なくとも前記画像読取位置と対応する部分に表面反射を抑制するための表面処理が施されていることを特徴とする画像形成装置。 
【発明の詳細な説明】
【技術分野】
【０００１】
本発明は、原稿を搬送する搬送装置、該搬送装置によって搬送される原稿の画像を読み取る画像読取装置、及び該画像読取装置によって読み取られた画像を記録する画像形成装置に関する。
【背景技術】
【０００２】
従来、画像形成装置の一種である複写装置やファクシミリ等において、原稿を搬送する搬送装置と、画像読取位置にある原稿の画像を読み取る画像読取装置とを備え、搬送装置によって原稿を画像読取位置に自動搬送して原稿の読み取りを行うものがあった。また、こうした画像形成装置が備える画像読取装置においては、ガラス板等の透明板の一面側に設定される画像読取位置に透明板の他面側から光を照射して、透明板を透過して画像読取位置にある原稿に反射した光を受光して電気信号に変換することで、原稿の画像を読み取るようにしていた。
【０００３】
そして近時は、特許文献１に記載の原稿送り装置（搬送装置）のように、透明板の上方にＵターンパスの原稿搬送路を形成する透明シート部材を備え、この透明シート部材で原稿の表面側（下面側）をガイドしながら画像読取位置に搬送することで、光の透過率を高く確保しつつ、スムーズに原稿を搬送するようにしたものがあった。
【０００４】
ところで、このように画像読取位置において透明シート部材と透明板とが重なるように配置されている場合には、透明板と透明シート部材との間に僅かな厚さの空気層が形成される。そのため、原稿の読み取りのために光を照射した際に、透明板の透明シート部材に対向する面で反射した反射光と、透明シート部材の透明板に対向する面で反射した反射光とが干渉して、不規則な縞模様の干渉縞が発生してしまうことがあった。そして、発生した干渉縞を画像読取装置が読み取ってしまうことにより、読み取った画像上に干渉縞が出現するという問題が生じていた。
【０００５】
そのため、特許文献１の原稿送り装置においては、透明シート部材と透明板との間隔を所定量に保持するための間隔保持手段を備えることで、干渉縞の発生を抑制するようにしていた。
【特許文献１】特開２００４−２５０１４７号公報
【発明の開示】
【発明が解決しようとする課題】
【０００６】
ところが、特許文献１の原稿送り装置が備える間隔保持手段は、原稿読取位置を挟む原稿幅方向の端部２点で透明シート部材を支えたり、原稿読取位置の上流側あるいは下流側で透明シート部材を支えたりしているため、原稿読取位置における透明シート部材と透明板との間隔は透明シート部材の撓み量に依存していた。そのため、透明シート部材と透明板との間隔を適切な値に設定するための調整作業が煩雑であった。
【０００７】
なお、上記搬送装置に限らず、透明シート部材で案内しながら原稿を透明板の一面側に設定される画像読取位置に搬送する搬送装置や、こうした搬送装置によって搬送された原稿の画像を読み取る画像読取装置、及び該画像読取装置によって読み取られた画像を記録する画像形成装置においては、こうした実情も概ね共通したものとなっている。
【０００８】
本発明は、このような事情に鑑みてなされたものである。その目的は、画像読取位置において透明板に重なるように配置された透明シート部材により原稿を案内しつつ画像読取位置に搬送する場合に、不規則な干渉縞の発生を容易に抑制することのできる搬送装置、及びそのような搬送装置を備えた画像読取装置並びに画像形成装置を提供することにある。
【課題を解決するための手段】
【０００９】
上記目的を達成するために、本発明の搬送装置は、透明板の一面側に設定される画像読取位置に前記透明板の他面側から光を照射するとともに、前記透明板を透過して前記画像読取位置にある原稿に反射した光を受光することで前記原稿の画像を読み取る画像読取装置の前記画像読取位置に原稿を搬送する搬送装置であって、前記画像読取位置付近において前記原稿の前記透明板に対向する面を案内するために前記透明板の一面側に対向するように配置され、かつ、前記透明板に対向する面の少なくとも前記画像読取位置と対応する部分に表面反射を抑制するための表面処理が施された透明シート部材を備えた。
【００１０】
この構成によれば、画像読取位置付近において原稿を案内する透明シート部材には、透明板に対向する面の少なくとも画像読取位置と対応する部分に表面反射を抑制するための表面処理が施されている。そのため、透明シート部材の透明板に対向する面で反射された反射光が透明板の透明シート部材に対向する面で反射した反射光と干渉することが抑制される。したがって、透明シート部材を配置する際に煩雑な調整をすることなく、不規則な干渉縞の発生を容易に抑制することができる。
【００１１】
本発明の搬送装置において、前記表面処理は、表面に微細な凹凸を形成する粗面化処理である。
この構成によれば、表面に微細な凹凸を形成する粗面化処理によって透明シート部材の表面反射を抑制することができるので、不規則な干渉縞の発生を抑制することができる。
【００１２】
本発明の搬送装置において、前記表面処理は、表面に反射防止膜を形成する薄膜形成処理である。
この構成によれば、表面に反射防止膜を形成する薄膜形成処理によって透明シート部材の表面反射を抑制することができるので、不規則な干渉縞の発生を抑制することができる。
【００１３】
本発明の搬送装置において、前記表面処理を施した前記透明シート部材の透過率は、前記透明板の透過率と同等以上である。
この構成によれば、表面処理を施した透明シート部材の透過率は透明板の透過率と同等以上であるため、原稿を照射する光や原稿に反射した光の透過を確保しつつ、干渉縞の発生を抑制することができる。
【００１４】
上記目的を達成するために、本発明の画像読取装置は、上記搬送装置と、透明板と、該透明板の一面側に設定される画像読取位置に前記透明板の他面側から光を照射する光源部と、該光源部から照射され、前記透明板を透過して前記画像読取位置にある原稿に反射した光を受光して電気信号に変換する受光部とを備えて前記原稿の画像を読み取る。
【００１５】
この構成によれば、上記搬送装置と同様の作用効果を得ることができる。
上記目的を達成するために、本発明の画像読取装置は、透明板と、該透明板の一面側に設定される画像読取位置に前記透明板の他面側から光を照射する光源部と、該光源部から照射され、前記透明板を透過して前記画像読取位置にある原稿に反射した光を受光して電気信号に変換する受光部と、前記画像読取位置付近において前記原稿の前記透明板に対向する面を案内するために前記透明板の一面側に対向するように配置された透明シート部材を有して前記画像読取位置に前記原稿を搬送する搬送装置とを備えて前記原稿の画像を読み取る画像読取装置において、前記透明板の前記透明シート部材に対向する面において、少なくとも前記画像読取位置と対応する部分には、表面反射を抑制するための表面処理が施されている。
【００１６】
この構成によれば、上記搬送装置と同様の作用効果を得ることができる。
上記目的を達成するために、本発明の画像形成装置は、透明板と、該透明板の一面側に設定される画像読取位置に前記透明板の他面側から光を照射する光源部と、該光源部から照射され、前記透明板を透過して前記画像読取位置にある原稿に反射した光を受光して電気信号に変換する受光部とを有して前記原稿の画像を読み取る画像読取装置と、前記画像読取位置付近において前記原稿の前記透明板に対向する面を案内するために前記透明板の一面側に対向するように配置された透明シート部材を有して前記画像読取位置に前記原稿を搬送する搬送装置と、前記画像読取装置によって読み取られた画像を記録する記録手段とを備え、前記透明シート部材の前記透明板に対向する面及び前記透明板の前記透明シート部材に対向する面の少なくとも一方には、少なくとも前記画像読取位置と対応する部分に表面反射を抑制するための表面処理が施されている。
【００１７】
この構成によれば、上記搬送装置と同様の作用効果を得ることができる。
【発明を実施するための最良の形態】
【００１８】
以下、本発明の画像形成装置を複合機に具体化した一実施形態を図１〜図４に基づいて説明する。なお、以下の説明において、「前後方向」、「左右方向」、「上下方向」をいう場合は各図中に矢印で示す前後方向、左右方向、上下方向をそれぞれ示すものとする。
【００１９】
図１に示すように、画像形成装置としての複合機１１は、記録手段としてのプリンタユニット１２と、該プリンタユニット１２上に配置された画像読取装置としてのスキャナ装置１３とを備えている。また、スキャナ装置１３は、スキャナユニット１４と、該スキャナユニット１４上に配置された搬送装置としての搬送ユニット１５とを備えている。
【００２０】
図２に示すように、スキャナユニット１４と搬送ユニット１５とはそれぞれの左端側がヒンジ１４ａを介して接続されている。また、搬送ユニット１５の下面には、右端付近に指掛部１５ａが形成されている。そして、ユーザがこの指掛部１５ａに手を掛けて図２に矢印で示す方向に搬送ユニット１５の右端側を持ち上げることにより、搬送ユニット１５が図１に示す閉位置から図２に示す開位置に移動するようになっている。
【００２１】
そして、スキャナ装置１３において、用紙Ｐの画像を一枚ずつ読み取る場合や、本のページ部分を読み取る場合などには、搬送ユニット１５を開位置に移動させて、直接スキャナユニット１４上に用紙Ｐや読み取りたい本のページ部分をセットするようになっている。このように、用紙Ｐを手動で配置して画像を読み取るいわゆるブック読みの場合には、用紙Ｐを直接スキャナユニット１４上にセットするため、搬送ユニット１５による用紙Ｐの搬送は行われない。
【００２２】
一方、複数の用紙Ｐを連続的に読み取る場合などには、搬送ユニット１５を閉位置に移動させて、搬送ユニット１５にセットした用紙Ｐをスキャナユニット１４側に自動搬送するようになっている。すなわち、用紙Ｐをスキャナユニット１４側に自動搬送して読み取りを行ういわゆる流し読みの場合に、搬送ユニット１５による用紙Ｐの搬送を行う。そして、搬送ユニット１５による用紙Ｐの搬送及びスキャナユニット１４による画像の読み取りは、何れも搬送ユニット１５を閉位置に移動させた状態で行うようになっている。
【００２３】
次に、搬送ユニット１５について図１〜図４に基づいて説明する。なお、図１、図３及び図４に基づいて説明する場合には、閉位置における配置に基づいて「左右方向」及び「上下方向」をいう。
【００２４】
図１の示すように、搬送ユニット１５は、原稿としての複数の用紙Ｐを積層状態でセット可能な給紙トレイ１６と、給紙トレイ１６の下方に位置する排紙トレイ１７とを備えている。給紙トレイ１６は、後方へ向かって下降するように傾斜しているとともに、その上面は用紙Ｐをセットするためのセット面１６ａを形成している。なお、本実施形態において、各用紙Ｐは、読取対象となる画像（本実施形態では「Ｐ」の文字）が記録された表面が上側を向いた状態で給紙トレイ１６上にセットされるようになっている。また、搬送ユニット１５において給紙トレイ１６の後方には、反転カバー１８が開閉自在に設けられている。
【００２５】
図３に示すように、搬送ユニット１５において反転カバー１８の下方には、セット面１６ａの後端と連続するように図３に矢印で示す用紙Ｐの搬送経路を形成する反転経路形成部材２０が設けられている。反転経路形成部材２０は側面視において後方側に膨らむようにＵ字状に湾曲した形状をなして、上側の端部が給紙トレイ１６と一体となるように接続されている。また、反転経路形成部材２０の下端側は、前側下方に向かって斜めに延びるとともに、下側に開口した凹部２１ａを形成する収容部２１の後端と接続されている。
【００２６】
収容部２１の凹部２１ａ内には、ばね２２を介して用紙押圧部材２３が左右方向に延びるように設けられている。用紙押圧部材２３は断面視で略Ｕ字状をなしており、その後側面から下端側に掛けて連続した曲面をなすガイド面２３ａと、ガイド面２３ａの前端となめらかに接続された下端側の平坦面からなるガイド面２３ｂと、ガイド面２３ｂの前端から前側壁になだらかな曲面を形成して接続するガイド面２３ｃとを備えている。
【００２７】
そして、収容部２１の前端は、前側上方に向かって斜めに延びる排紙案内部２４の後端に接続されているとともに、排紙案内部２４の前方には、排紙トレイ１７が位置している。
【００２８】
給紙トレイ１６のセット面１６ａ、反転経路形成部材２０の外面側、用紙押圧部材２３のガイド面２３ａ，２３ｂ，２３ｃ及び排紙案内部２４の下面側は、用紙Ｐの裏面を案内するためのガイド部２５を構成している。そして、給紙トレイ１６のセット面１６ａ上にセットされた各用紙Ｐは、図１及び図３に矢印で示す搬送経路を反転経路形成部材２０に沿って搬送される過程で反転されるようになっている。したがって、表面が上側を向くように給紙トレイ１６上にセットされた用紙Ｐは、搬送される過程で反転され、表面が下側を向いた状態で排紙トレイ１７上に排紙されるようになっている。
【００２９】
搬送ユニット１５内における反転経路形成部材２０の後方には、反転経路形成部材２０のガイド部２５に沿って搬送される用紙Ｐの表面を案内するための給紙ガイド２６が設けられている。また、排紙案内部２４の下方には、排紙案内部２４のガイド部２５に沿って排紙される用紙Ｐの表面を案内するための排紙ガイド２７が設けられている。
【００３０】
そして、用紙押圧部材２３の下方には、後端側が給紙ガイド２６の下端付近において上面側に貼り付け固定されるとともに、前端側が排紙ガイド２７の後端付近において上面側に支持された透明シート部材２８が設けられている。そして、給紙ガイド２６の前面側、透明シート部材２８及び排紙ガイド２７の上面側は、用紙Ｐの表面を案内するためのガイド部２９を構成している。
【００３１】
図２に示すように、搬送ユニット１５の下面側において後端寄りの部分には、左右方向に延びる開口部１５ｂが形成されている。そして、用紙押圧部材２３のガイド面２３ｂは開口部１５ｂから外側に突出しているとともに、反転経路形成部材２０の下端部分及び排紙案内部２４の後端部分は開口部１５ｂにおいて露出している。なお、図２においては開口部１５ｂを通して視認可能な部分を示すために透明シート部材２８の図示を省略しているが、透明シート部材２８は用紙押圧部材２３のガイド面２３ｂを覆って開口部１５ｂを塞ぐような態様で配置されている。
【００３２】
なお、透明シート部材２８はポリエチレンテレフタレート（ＰＥＴ）が基材となっているとともに、用紙押圧部材２３と対向する一面（図３における上面）には、用紙Ｐを案内する際に傷が付くことを抑制するためにハードコート処理が施されている。また、透明シート部材２８の他面、すなわち閉位置においてスキャナユニット１４の上面と対向する面（図３における下面）には、光の表面反射を抑制するために表面に微細な凹凸を形成する粗面化処理が施されている。そのため、図４に示すように、閉位置における透明シート部材２８の上面側にはハードコート層２８ａが形成されるとともに、透明シート部材２８の下面側には反射抑制層２８ｂが形成されている。
【００３３】
図３に示すように、給紙トレイ１６の後端付近の上方には、図示しない枠体に支持された回転軸３１を中心に回転可能に設けられた送出ローラ３０が配置されている。また、送出ローラ３０の後方には、同じ枠体（図示略）に支持された回転軸３３を中心に回転可能に設けられた分離ローラ３４が配置されている。そして、回転軸３１と回転軸３３とは連結部材３２によって連結されている。また、連結部材３２は回転軸３３を中心に揺動可能となっているとともに、送出ローラ３０は連結部材３２の揺動に伴って上下方向に移動可能となっている。
【００３４】
分離ローラ３４の下方において反転経路形成部材２０の上面には分離パット３５が設けられているとともに、分離パット３５は付勢部材（図示略）の付勢力を受けて、常には分離ローラ３４に当接するようになっている。
【００３５】
そして、送出ローラ３０が下方向に揺動してセット面１６ａ上にセットされた最上位の用紙Ｐに当接した状態で回転することにより、用紙Ｐが送り出されるようになっている。また、送出ローラ３０と同期回転する分離ローラ３４と分離パット３５とによって、最上位の用紙Ｐとその下層の用紙Ｐとが分離されるようになっている。したがって、図３に矢印で示す搬送経路において分離パット３５より下流側には、用紙Ｐが一枚ずつ送り出されるようになっている。
【００３６】
給紙ガイド２６及び反転経路形成部材２０の下端付近には、一対の給紙ローラ３６がそれぞれの回転軸３７を中心に回転可能に設けられている。そして、一方の回転軸３７が回転駆動することにより、送出ローラ３０と分離ローラ３４とによって送り出された用紙Ｐを両給紙ローラ３６によって挟圧しながら下流側に向かって搬送するようになっている。
【００３７】
また、排紙案内部２４及び排紙ガイド２７の前端には、一対の排紙ローラ３８がそれぞれの回転軸３９を中心に回転可能に設けられている。そして、上方の回転軸３９が回転駆動することにより、両給紙ローラ３６によって搬送された用紙Ｐを両排紙ローラ３８によって挟圧しながら排紙トレイ１７上に排紙するようになっている。
【００３８】
図２及び図３に示すように、搬送ユニット１５の開口部１５ｂの前側には、弾性を有する用紙押圧マット４０が配置されている。そして、用紙押圧マット４０の下面は用紙押圧部４０ａを形成している。
【００３９】
次に、スキャナユニット１４について図１〜図３に基づいて説明する。
図２及び図３に示すように、スキャナユニット１４の上面には、透明板としてのガラス平板４５が配置されている。ガラス平板４５上には、前後方向において閉位置にある用紙押圧部材２３と用紙押圧マット４０との間となる位置に、左右方向に伸びる土手形成部材４６が固定されている。そして、土手形成部材４６の後側には、前側上方に向かって伸びる斜面からなる土手部４６ａが形成されている。土手形成部材４６の土手部４６ａは、用紙Ｐを排紙ガイド２７側へ案内するようになっている。
【００４０】
ガラス平板４５の上面側には、土手形成部材４６より前側の第１の読取部４７と土手形成部材４６より後側の第２の読取部４８とが設定されている。そして、搬送ユニット１５が開位置から閉位置に移動された場合には、用紙押圧マット４０の用紙押圧部４０ａが第１の読取部４７に当接するとともに、用紙押圧部材２３のガイド面２３ｂが透明シート部材２８を間に介在させた状態でばね２２の付勢力によって第２の読取部４８に押し付けられるようになっている。すなわち、透明シート部材２８は、閉位置においてガラス平板４５の一面側（上面側）に対向するように配置されている。また、透明シート部材２８の光の表面反射を抑制するための粗面化処理が施された反射抑制層２８ｂは、閉位置においてガラス平板４５に対向する面に形成されている。
【００４１】
そして、用紙Ｐを手動で配置するブック読みの場合には、搬送ユニット１５を開位置に移動させて用紙Ｐを第１の読取部４７にセットするようになっている。また、用紙Ｐを自動搬送する流し読みの場合には、搬送ユニット１５を閉位置に移動させて給紙トレイ１６に用紙Ｐをセットすると、搬送ユニット１５によって用紙Ｐが第２の読取部４８に搬送されるようになっている。
【００４２】
図３に示すように、ガラス平板４５の下方には、ガイド部材４９に沿って前後方向に移動可能に構成された読取キャリッジ５０が設けられている。読取キャリッジ５０は左右方向においてほぼガラス平板４５と対応する幅を有して、その内部には第１の読取部４７又は第２の読取部４８に向けて左右方向に直線状に延びる光を照射する光源部５１が収容されている。また、読取キャリッジ５０内には、光源部５１から照射された光の反射光を反射させる複数のミラー５２と、ミラー５２によって反射された光を結像させるためのレンズ５３と、レンズ５３を透過した光を受光して電気信号に変換する受光部５４とが収容されている。すなわち、光源部５１はガラス平板４５の一面側（上面側）に設定される第１の読取部４７又は第２の読取部４８にガラス平板４５の他面側（下面側）から光を照射するとともに、受光部５４はガラス平板４５を透過して第１の読取部４７又は第２の読取部４８にある用紙Ｐに反射した光を受光することで、用紙Ｐの画像を読み取るようになっている。
【００４３】
また、図１に示すように、スキャナユニット１４の右側面には、スタートスイッチ５５が設けられている。そして、用紙Ｐを表面がガラス平板４５に対向するようにして第１の読取部４７にセットし、搬送ユニット１５を閉位置に移動させてスタートスイッチ５５を押した場合には、読取キャリッジ５０が第１の読取部４７の下方に移動するようになっている。そして、読取キャリッジ５０が用紙Ｐに向かって左右方向に直線状に延びる光を照射しながら前後方向に移動し、同じく直線状の光に対応したミラー５２及びレンズ５３を介して用紙Ｐの表面に反射した反射光を受光部５４で受光することにより、画像全体の読み取りを行うようになっている。
【００４４】
一方、給紙トレイ１６に用紙Ｐをセットした状態でスタートスイッチ５５を押すと、図３に示すように読取キャリッジ５０が第２の読取部４８の下方に移動して停止するようになっている。そして、搬送ユニット１５によって搬送される用紙Ｐが画像読取位置Ｑを通過する際に光源部５１から左右方向に直線状に延びる光を照射し、ガラス平板４５及び透明シート部材２８を透過して用紙Ｐの表面に反射した反射光を受光部５４で受光することにより、画像全体の読み取りを行うようになっている。ここで、画像読取位置Ｑは第２の読取部４８において、閉位置にある用紙押圧部材２３のガイド面２３ｂの前後方向において中央付近と対応する位置に設定されている。また、画像読取位置Ｑ付近で用紙Ｐはガラス平板４５に対向する表面を透明シート部材２８によって、裏面を用紙押圧部材２３のガイド面２３ｂによって案内されるようになっている。なお、図３においては、画像読取位置Ｑに光を照射した場合の照射光及び反射光の軌道を二点鎖線で示している。
【００４５】
そして、スキャナユニット１４によって読み取られた画像は、ユーザからの指令に応じてプリンタユニット１２によって図示しない未使用の用紙Ｐに印刷されるようになっている。
【００４６】
次に、以上のように構成されたスキャナ装置１３の作用について説明する。
まず、用紙Ｐを手動で配置するブック読みの場合には、搬送ユニット１５を開位置に移動させて、表面を下側に向けて用紙Ｐを第１の読取部４７上にセットする。その後、搬送ユニット１５を閉位置に移動させると、用紙押圧マット４０の用紙押圧部４０ａによって用紙Ｐの表面がガラス平板４５に密着するように押し付けられる。
【００４７】
この状態でスタートスイッチ５５を押すと、読取キャリッジ５０が第１の読取部４７の下方に移動して、用紙Ｐに向けて光源部５１から光を照射しながら前後方向に移動する。そして、読取キャリッジ５０が移動しながら用紙Ｐの表面に反射した光を各ミラー５２によって反射させるとともに、レンズ５３によって結像させて、受光部５４で受光する。そして、受光部５４で受光された反射光が電気信号に変換されることで、画像の読み取りが行われる。なお、用紙Ｐの表面は用紙押圧マット４０によってガラス平板４５に押し付けられているため、用紙Ｐとガラス平板４５との間に隙間が生じて読み取った画像がぼやけてしまうことが抑制される。
【００４８】
一方、用紙Ｐを自動搬送する流し読みの場合には、閉位置にある搬送ユニット１５の給紙トレイ１６上に用紙Ｐをセットしてスタートスイッチ５５を押す。すると、読取キャリッジ５０が第２の読取部４８の下方に移動するとともに、送出ローラ３０が回転して最上位の用紙Ｐを繰り出す。そして、反転経路形成部材２０と給紙ガイド２６とに案内されながら反転された用紙Ｐは、給紙ローラ３６の回転駆動によって画像読取位置Ｑに向かって搬送される。
【００４９】
画像読取位置Ｑ付近において、用紙押圧部材２３のガイド面２３ｂは透明シート部材２８を間に介在させた状態でばね２２の付勢力によって第２の読取部４８に押し付けられている。したがって、用紙Ｐは裏面を用紙押圧部材２３のガイド面２３ｂに、表面を透明シート部材２８に案内されながら、ばね２２の付勢力に抗して用紙押圧部材２３を上側に押し上げつつ、画像読取位置Ｑを通過する。なお、透明シート部材２８の上面側にはハードコート層２８ａが形成されているため、用紙Ｐがばね２２の付勢力に抗しつつ摺動しても、透明シート部材２８に傷が付いて読み取った画像の画質が低下することが抑制される。
【００５０】
そして、読取キャリッジ５０が停止した状態で光源部５１から画像読取位置Ｑを通過する用紙Ｐに光を照射し、用紙Ｐの表面に反射した光を受光部５４で受光する。そして、受光部５４で受光された反射光が電気信号に変換されることで、画像の読み取りが行われる。また、画像読取位置Ｑを通過した用紙Ｐは排紙案内部２４、土手形成部材４６の土手部４６ａ及び排紙ガイド２７に案内されて排紙ローラ３８の回転駆動に伴って排紙トレイ１７に排紙される。このように、給紙トレイ１６上の用紙Ｐを一枚ずつ第２の読取部４８に自動搬送することで、連続的に画像の読み取りを行う。
【００５１】
なお、画像読取位置Ｑにおいて用紙Ｐはばね２２の付勢力によってガラス平板４５に密着するように押し付けられているので、用紙Ｐとガラス平板４５との間に隙間が生じて読み取った画像がぼやけてしまうことが抑制される。
【００５２】
ただし、画像読取位置Ｑ付近では透明シート部材２８とガラス平板４５とが重なるように配置されているため、透明シート部材２８とガラス平板４５との間にごく僅かな厚さの空気層が形成される。そのため、光を照射した際に、ガラス平板４５の透明シート部材２８に対向する面で反射した反射光と、透明シート部材２８のガラス平板４５に対向する面で反射した反射光とが干渉して、不規則な縞模様の干渉縞が発生してしまう場合がある。しかし、本実施形態においては、透明シート部材２８に反射抑制層２８ｂが形成されているため、透明シート部材２８のガラス平板４５に対向する面における光の反射が抑制され、干渉縞の発生が抑制される。
【００５３】
なお、粗面化処理を施す前の透明シートの透過率は９１．５％であるのに対して、粗面化処理を施した透明シート部材２８の透過率は９０．８％となっている。また、本実施形態では、粗面化処理を施した透明シート部材２８の透過率はガラス平板４５の透過率８８％よりも高い値となっている。そのため、画質を大きく低下させることなく、光の表面反射を抑制することができる。
【００５４】
以上詳述した実施形態によれば、以下の効果を得ることができる。
（１）画像読取位置Ｑ付近において用紙Ｐを案内する透明シート部材２８には、閉位置においてガラス平板４５に対向する面に表面反射を抑制するための表面処理が施されている。そのため、透明シート部材２８のガラス平板４５に対向する面で反射された反射光がガラス平板４５の透明シート部材２８に対向する面で反射した反射光と干渉することが抑制される。したがって、透明シート部材２８を配置する際に煩雑な調整をすることなく、不規則な干渉縞の発生を容易に抑制することができる。
【００５５】
（２）表面に微細な凹凸を形成する粗面化処理によって透明シート部材２８の表面反射を抑制することができるので、不規則な干渉縞の発生を抑制することができる。
（３）表面処理を施した透明シート部材２８の透過率は９０．８％でガラス平板４５の透過率８８％よりも高い値であるため、用紙Ｐに照射する光や用紙Ｐに反射した光の透過を確保しつつ、干渉縞の発生を抑制することができる。
【００５６】
なお、上記実施形態は以下のように変更してもよい。
・表面処理は必ずしも透明シート部材２８の全体に施されている必要はなく、少なくとも画像読取位置Ｑと対応する部分に表面処理が施されていればよい。
【００５７】
・透明シート部材２８の基材はＰＥＴ樹脂に限らず、表面処理が可能で適切な透過率が確保できればその他の基材を用いてもよい。
・透明シート部材２８のハードコート処理を行わなくてもよい。
【００５８】
・透明シート部材２８ではなく、ガラス平板４５の透明シート部材２８に対向する面に表面反射を抑制するための表面処理を施すようにしてもよいし、透明シート部材２８及びガラス平板４５の各対向面の画像読取位置Ｑと対応する部分にそれぞれ表面反射を抑制するための表面処理を施すようにしてもよい。また、透明シート部材２８やガラス平板４５に施される表面処理は粗面化処理に限らず、表面に反射防止膜を形成する薄膜形成処理であってもよい。
【００５９】
・搬送及び読み取りを行う原稿は用紙に限らず、プラスチック製のフィルムやシート等であってもよい。
・プリンタユニット１２とスキャナ装置１３とを備えた複合機１１に限らず、プリンタユニット１２を備えないスキャナ装置やファクシミリ、複写装置などに具体化してもよい。あるいは、これらの機能を併せ持つ複合機に具体化してもよい。
【００６０】
・プリンタユニット１２は、インクジェット式のプリンタや、帯電像を用いる電子写真式のプリンタとして具体化することができる。
【図面の簡単な説明】
【００６１】
【図１】実施形態の複合機の斜視図。
【図２】開位置にある搬送ユニットとスキャナユニットを説明するための概略斜視図。
【図３】閉位置にある搬送ユニットとスキャナユニットを説明するための概略断面図。
【図４】透明シート部材を説明するための概略断面図。
【符号の説明】
【００６２】
１１…画像形成装置としての複合機、１２…記録手段としてのプリンタユニット、１４…画像読取装置としてのスキャナユニット、１５…搬送装置としての搬送ユニット、２８…透明シート部材、４５…透明板としてのガラス平板、５１…光源部、５４…受光部、Ｐ…原稿としての用紙、Ｑ…画像読取位置。
【図１】
2010041481.tif 000003
【図２】
2010041481.tif 000004
【図３】
2010041481.tif 000005
【図４】
2010041481.tif 000006